(57)【要約】      （修正有）【課題】構造簡単、省エネルギー、塗層の厚みを厚くすることができ、乾燥時間を短縮できる新型塗料吹き付け設備を提供する。【解決手段】新型塗料吹き付け設備は以下により構成されている。エンジン、第一ポンプと第二ポンプ、エンジンの動力を第一ポンプと第二ポンプに伝送する伝動装置、塗料の第一成分を保存する第一タンク、該第一タンクは第一配管を通して第一ポンプと連接する。塗料の第二成分を保存する第二タンク、該第二タンクは第二配管を通して第二ポンプと連接する。第一スプレーガン、該第一スプレーガンは第三配管を通して第一ポンプと連接する。第二スプレーガン、該第二スプレーガンは第四配管を通して第二ポンプと連接する。【選択図】図１
0003151209.tif 000002
【実用新案登録請求の範囲】
【請求項１】
本塗料吹き付け設備は以下の特徴とする：
エンジン；
第一ポンプと第二ポンプ；
上記述べているエンジンの動力を第一ポンプと第二ポンプに伝送する伝動装置；
塗料の第一成分を保存する第一タンクは第一配管を通して第一ポンプと連接する；
塗料の第二成分を保存する第二タンクは第二配管を通して第二ポンプと連接する；
第一スプレーガンは、第三配管を通して第一ポンプと連接する；または
第二スプレーガンは、第四配管を通して第二ポンプと連接する；
【請求項２】
請求項１に述べている塗料吹き付け設備は、その特徴として第一スプレーガンと第二スプレーガンを一緒に固定しており、更に第一スプレーガンと第二スプレーガンの間に一定の角度を形成します。
【請求項３】
請求項１に述べている塗料吹き付け設備は、その特徴として第一スプレーガンと第二スプレーガンを一緒に連接しており、更に第一スプレーガンと第二スプレーガンの間に調整ができる角度を形成します。
【請求項４】
請求項１〜３に述べている塗料吹き付け設備は、また以下の特徴とする：
第一調節バルブは第三配管に設置され、さらに第一成分塗料の圧力をコントロールする；
第一マノメーターは第三配管に設置され、さらに第一成分塗料の圧力を測定する；または
第二調節バルブは第四配管に設置され、さらに第二成分塗料の圧力をコントロールする。または
第二マノメーターは第四配管に設置され、さらに第二成分塗料の圧力を測定する；
【請求項５】
請求項１〜３に述べている塗料吹き付け設備はまた以下の特徴とする：
第一成分塗料を回流する第一回流軟管は第一タンクと第一ポンプの間に設置されている；
第二成分塗料を回流する第二回流軟管は第二タンクと第二ポンプの間に設置されている；
【請求項６】
請求項１〜３に述べる塗料吹き付け設備の特徴は第三配管と第四配管がホースを使っている。そのホースの長さは１〜２００メートル。
【請求項７】
請求項１〜３に述べている塗料吹き付け設備は、また以下の特徴とする：
第三スプレーガンは、第五配管を通して第一ポンプと連接する；
第四スプレーガンは、第六配管を通して第一ポンプと連接する。
【請求項８】
請求項１〜３に述べている塗料吹き付け設備のエンジンはガソリンエンジン、ヂーゼルエンジン、電機ともに使えル特徴を持っています。
【請求項９】
本塗料吹き付け設備の特徴はまた以下を含まれている：
ガソリンエンジンは、動力をインプットする主動輪を設置されている；
第一ポンプは、動力をインプットする第一従輪を設置されている；
第二ポンプは、動力をインプットする第二従輪を設置されている；
第一伝動ベルトは、上記述べている主動輪と第一従輪を連接する；
第二伝動ベルトは、上記述べている主動輪と第二従輪を連接する；
第一タンクは、塗料の第一成分を保存し、第一配管を通して第一ポンプと連接する；
第二タンクは、塗料の第二成分を保存し、第二配管を通して第二ポンプと連接する；
第一スプレーガンは、第三配管を通して第一ポンプと連接する；
第二スプレーガンは、第四配管を通して第二ポンプと連接する；
第一成分を回流する第一回流軟管は、第一タンクと第一ポンプの間に設置されている；
第二成分を回流する第二回流軟管は、第二タンクと第二ポンプの間に設置されている；
第三配管に設置され、しかも第一成分の圧力を調整する働きの第一調整バルブ；
第四配管に設置され、しかも第二成分の圧力を調整する働きの第二調整バルブ；または
第三配管に設置され、しかも第一成分の圧力を測定する第一マノメーター；または
第四配管に設置され、しかも第二部分の圧力を測定する第二マノメーター。
【請求項１０】
請求項１に述べている塗料吹き付け設備の特徴は第一スプレーガンと第二スプレーガンを一緒に固定しており、しかも第一スプレーガンと第二スプレーガンの間に予定した角度を形成する。
【考案の詳細な説明】
【技術分野】
【０００１】  本発明は、一つ実用新案設備として、特に双管スプレーガンの吹き付け設備として、更に具体的に二つ成分塗料の吹き付け用の双管スプレーガンを装備された塗料吹き付け設備に関するものである。
【背景技術】
【０００２】  従来の吹きつけ機械は一般的に単一成分吹きつけ機械と両成分吹き付け機械である。単一成分吹きつけ機械は単管スプレーガンを使用して、単一成分の塗料を物体表面に吹きつけて、塗層または塗膜を形成させる。また、塗層及び塗膜は乾燥するまで物理な過程が必要とする。すなわち、単一成分吹きつけ機械は吹き付けた塗膜の厚みが厚くすることができない、乾燥時間が長すぎる欠点を持っている。また、従来の両成分吹きつけ機械は、吹き付け作業前、また吹き付け作業中に二成分の材料をタンクの中にあるいは配管の中に混合させて、その後単管スプレーガンを使って、混合された両成分の材料を物体表面に吹き付けて、塗層または塗膜を形成させる。両成分の吹き付け機械は、補助気管を利用して、噴射距離と噴射速度を増やす。両成分吹きつけ機械の性能は単一成分吹き付け機械より塗層の厚さと乾燥時間に対して優れたものである。しかし、両成分吹き付け機械は二種類塗料を吹き付ける前に、十分な混合反応をしなければなりません。または吹き付け品質をよくするため、従来の両成分吹きつけ機械は通常に加熱装置を付けなければなりません。加熱装置を付けることで両成分吹きつけ機械の本体が比較的に大きくなり、大量エネルギーを損耗することでコストも高くなる。ですから、構造簡単に、エネルギーを減らす両成分吹き付け設備が必要とする。
【考案の開示】
【考案が解決しようとする課題】
【０００３】  構造簡単、減エネルギー、低コスト、塗層の厚みが厚くすることができる、乾燥時間が短縮できる新型両成分塗料の吹き付け設備を作ること。
【課題を解決するための手段】
【０００４】  本実用新案の塗料吹き付け設備の内容は：第一ポンプと第二ポンプ；エンジンの動力は第一ポンプと第二ポンプに伝送する伝動装置；塗料の第一部分を保存する第一タンクは第一配管を通して第一ポンプと連接する；塗料の第二部分を保存する第二タンクは第二配管を通して第二ポンプと連接する；第一スプレーガンは第三配管を通して第一ポンプと連接する；スプレーガンは第四配管を通して第二ポンプと連接する；
または、第一スプレーガンと第二スプレーガンを一緒に固定して、更に第一スプレーガンと第二スプレーガンの間に予定した角度を形成する。あるいは、第一スプレーガンと第二スプレーガンを一緒に
または、本塗料吹き付け設備はまた以下を含まれています：第三スプレーガンは、第五配管を通して第一ポンプと連接する；第四スプレーガンは、第六配管を通して第二ポンプと連接する。【０００５】  本実用新案の塗料吹き付け設備は、第一成分の圧力を調節する第一調節バルブが第三配管に設置されている；第二成分の圧力を調整する働きの第二調整バルブが第四配管に設置されている；または、第一成分の圧力を測定する第一マノメーターが第三配管に設置されている；または、第二成分の圧力を測定する第二マノメーターが第四配管に設置されていることを含まれています。本実用新案塗料吹き付け設備は、第一成分を回流する第一回流軟管が第一タンクと第一ポンプの間に設置されている、第二成分を回流する第二回流軟管が第二タンクと第二ポンプの間に設置されていることを含まれています。
本実用新案の塗料吹き付け設備は第三番目配管と第四番目配管がホースを使用されている、ホースの長さは１〜２００メートル。本設備のエンジンはガソリンエンジン、ヂーゼルエンジン、電機とも使える特徴がある。
【課題を解決するための手段】
【０００６】  本実用新案の塗料吹き付け設備は塗料の吹き付け設備として、ガソリンエンジンは、動力をインプットする主動輪を設置されている；第一ポンプは、動力をインプットする第一従輪を設置されている；第二ポンプは、動力をインプットする第二従輪を設置されている；第一伝動ベルトは、上記述べている主動輪と第一従輪を連接する；第二伝動ベルトは、上記述べている主動輪と第二従輪を連接する；第一タンクは、第一成分の塗料を保存する、第一配管を通して第一ポンプと連接する；第二タンクは、第二成分の塗料を保存する、第二配管を通して第二ポンプと連接する；第一スプレーガンは、第三配管を通して第一ポンプと連接する；第二スプレーガンは、第四配管を通して第二ポンプと連接する；または、第一成分の塗料の圧力を調整する第一調整バルブが第三配管に設置されている；第二成分の塗料の圧力を調整する第二調整バルブが第四配管に設置されている；または第一成分の塗料の圧力を測定する第一マノメーターが第三配管に設置されている；第二成分の塗料の圧力を測定する第二マノメーターが第四配管に設置されていることである。【０００７】  本実用新案の両成分塗料吹き付け設備に基づく、塗料の二つ成分は吹き付ける前に混合する必要がありませんので、ですから、塗料の加熱装置と混合装置を設置する必要がありません。吹き付け施工の際に両成分が同時にスプレーガンから噴射します。二つのスプレーガンの間に予定した角度により、両成分塗料が瞬時に交わり反応して、物体表面に塗層あるいは塗膜を形成する。そのほかに、調節バルブとマノメーターを使って、両成分塗料の圧力と流速をそれぞれ調節ができるから、施工具体的な条件により、スプレー発射範囲と施工範囲の調節ができる、施工効率と技術適応性を最大限で提供します。また、二つのスプレーガンと連接する第三配管と第四配管は１−２００メートルのホースを使っているため、施工範囲を広げる可能性を提供します。本実用新案の両成分塗料吹き付け設備は更に第三と第四スプレーガンを増やせば、施工効率も更に高めます。
ンを増やせば、施工効率も更に高めます。
【実施例】
【０００８】  以下は附図と実施例に照らして本実用新案が更に説明します。一目瞭然のため、附図に描かれた部品と特徴は設備の比例に作られた図ではありません。
第１実施例【０００９】  図１は本実用新案の第１実施例による吹き付け設備の構造見取り図です。本吹き付け設備は以下の部分を含まれている：エンジン１、伝動装置２、第一ポンプ３、第二ポンプ４、第一タンク５、第二タンク６、第一スプレーガン７と第二スプレーガン８。エンジン１はガソリンエンジン、ヂーゼルエンジンあるいは電機とも使えますが、このエンジン１は第一タンク３と第二タンク４の駆動力になります。エンジン１からの動力は伝動装置２を通して、別々に第一ポンプ３と第二ポンプ４に送ります。伝動装置２は各伝動パターンを取り付けられます。例えば、伝動装置２はエンジン１の動力供給装置の主動輪、第一ポンプ３と第二ポンプ４の動力供給装置の従輪及び主動輪と二つ従輪を連接している二つベルトで組み合わせて構成されます。
また、伝動装置２はほかの伝動パターンにも取り付けられます。例えば、歯車伝動、タービンウォームーギア、連接棒など、伝動装置２はエンジンの動力を第一ポンプ３と第二ポンプ４に供給すればよい。第一タンク５と第二タンク６は別々に塗料の第一成分Ａと第二成分Ｂを保存する。第一ポンプ３は第一配管９を通して、第一成分Ａを第三配管１１に吸い込み、または第三配管１１の片方に連接している第一スプレーガン７から噴射する。第二ポンプ４は第二配管１０を通して、第二成分Ｂを第四配管１２に吸い込み、ともに第四配管１２の片方に連接している第二スプレーガンから噴射する。
本実用新案吹き付け設備は、また第三配管と第四配管中のマノメーター１３、１４と調節バルブ１５、１６を設置されていることを含めて、第一成分Ａと第二成分Ｂの圧力を別々に測定と調整をします。また、施工の具体的な条件にあわせて、発射範囲と両成分塗料の吹き交わせる距離を調整して、最大限の施工技術適応性を提供します。
本実用新案の吹き付け設備は、また第一成分Ａを回流する第一回流管１７と第二成分Ｂを回流する第二回流管１８。第一回流管１７と第二回流管１８は別々に第一タンク５と第一ポンプ３の間に設置されていると同時に第二タンク６と第二ポンプ４の間に設置されました。さらに、第一スプレーガン７と第二スプレーガン８の待機状態の時に、第一ポンプ３と第二ポンプ４から別々に第一配管９と第二配管１０に通して吸い込まれた第一成分Ａと第二成分Ｂを第一タンク５と第二タンク６に回流します。
第三配管１１と第四配管１２は巻きつけられるホースを使用します。このホースの長さは１−２００メートル。ホースの長さが調整できるため、従来の吹きつけ機械と比べて施工範囲を大きく広げます。
図２は本実用新案の第一吹き付け設備は第一実施例による吹き付け設備のスプレーガン見取り図です。図２を示すように第一スプレーガン７と第二スプレーガン８を一緒に基盤に固定しながら予定した角度を形成した。これによって第一スプレーガン７と第二スプレーガン８から噴射した第一成分Ａと第二成分Ｂを瞬時に交わり反応し、物体表面に塗層あるいは塗膜を形成する。また、第一スプレーガン７と第
第２実施例【００１０】  図３は本実用新案に基づくための第二実施例の吹き付け設備構造の見取り図です。
第二実施例の吹きつけ設備と第一実施例の吹きつけ設備の相違したところは、第一スプレーガン７と第二スプレーガン８を連接する前に除いて、第一ポンプ３第二ポンプ４と第三スプレーガン１９第四スプレーガン２０にも連接します。つまり、第一ポンプ３と第二ポンプ４はそれぞれ二つのスプレーガンと連接します。また、第一スプレーガン７と第二スプレーガン８と似ていて、第三スプレーガン１９と第四スプレーガン２０にも一緒に基盤に固定しながら予定した角度を形成します。スプレーガンの個数を増やして、吹きつけ設備の施工効率を高めます。具体的な施工情況により、スプレーガンをもっと増やすことができますので、吹きつけ設備の施工効率にも更に高くなります。【００１１】  さらに、本実用新案の吹き付け設備の操作手順を説明します。まず、第一成分Ａと第二成分Ｂを別々に第一タンク５と第二タンク６の中に入れます。その後、エンジンを起動させます、車輪とベルトを通して第一ポンプ３と第二ポンプ４を連動させて、ともに第一タンク５と第二タンク６中に入れた成分を一定の流量と流速に両スプレーガンの配管に吸い込み。そして、スプレーガンの起動スイッチを押すと、第一成分Ａと第二成分Ｂが第一スプレーガン７と第二スプレーガン８を通して噴射し、物体表面まで１０ｃｍくらい（例として）隔てたところで、第一成分Ａと第二成分Ｂを瞬時に交わり反応して、物体表面に塗層あるいは塗膜を形成する。
【発明の効果】
【００１２】  本実用新案吹き付け設備は本体が小さくなる、操作が簡便になる。その上、両成分が瞬時に交わって反応を起こすより物体表面に塗層または塗膜を形成するための両成分塗料を混ぜる加熱装置を付ける必要がなくなる、施工技術適応性が幅広くなる、いろんな施工場所に応えることになりました。
【００１３】  本実用新案吹き付け設備と同じ原理の反応過程と同じ構造に似た機械や設備はすべて本実用新案設備の範囲内とする。
【図面の簡単な説明】
【００１４】
【図１】第一実施例により本実用新案吹き付け設備の構造見取り図；
【図２】第一実施例により本実用新案吹き付け設備のスプレーガンの構造見取り図；または
【図３】第二実施例により本実用新案吹き付け設備の構造見取り図；
【符号の説明】
【００１５】９    第一配管          １０  第二配管
１１  第三配管          １２  第四配管
１７  第一回流管        １８  第二回流管
【図１】
0003151209.tif 000003
【図２】
0003151209.tif 000004
【図３】
0003151209.tif 000005
【手続補正書】
【提出日】平成21年3月5日(2009.3.5)
【手続補正１】
【補正対象書類名】実用新案登録請求の範囲
【補正対象項目名】全文
【補正方法】変更
【補正の内容】
【実用新案登録請求の範囲】
【請求項１】
本塗料吹付け設備は
エンジン；
第一ポンプと第二ポンプ；
上記述べているエンジンの動力を第一ポンプと第二ポンプに伝送する伝動装置；
塗料の第一成分を保存する第一タンクは第一配管を通して第一ポンプと連接する；
塗料の第二成分を保存する第二タンクは第二配管を通して第二ポンプと連接する；
第一スプレーガンは、第三配管を通して第一ポンプと連接する；または
第二スプレーガンは、第四配管を通して第二ポンプと連接することを特徴とする塗料吹付け設備。
【請求項２】
請求項１に記載される塗料吹付け設備において、第一スプレーガンと第二スプレーガンを一緒に固定しており、更に第一スプレーガンと第二スプレーガンの間に一定の角度を形成することを特徴とする塗料吹付け設備。
【請求項３】
請求項１に記載される塗料吹付け設備において、第一スプレーガンと第二スプレーガンを一緒に連接しており、更に第一スプレーガンと第二スプレーガンの間に調整ができる角度を形成することを特徴とする吹付け設備。
【請求項４】
本塗料吹付け設備は
第一調節バルブは第三配管に設置され、さらに第一成分塗料の圧力をコントロールする；
第一マノメーターは第三配管に設置され、さらに第一成分塗料の圧力を測定する；または
第二調節バルブは第四配管に設置され、さらに第二成分塗料の圧力をコントロールする。または
第二マノメーターは第四配管に設置され、さらに第二成分塗料の圧力を測定することを特徴とする請求項１〜３のいずれか１項に記載の塗料吹付け設備。
【請求項５】
本塗料吹付け設備は
第一成分塗料を回流する第一回流軟管は第一タンクと第一ポンプの間に設置されている；第二成分塗料を回流する第二回流軟管は第二タンクと第二ポンプの間に設置されることを特徴とする請求項１〜３のいずれか１項に記載の塗料吹付け設備。
【請求項６】
請求項１〜３のいずれか１項に記載される塗料吹付け設備において、第三配管と第四配管がホースを使っており、そのホースの長さは１〜２００メートルであることを特徴とする塗料吹付け設備。
【請求項７】
請求項１〜３のいずれか１項に記載される塗料吹付け設備において、第三スプレーガンは、第五配管を通して第一ポンプと連接する；第四スプレーガンは、第六配管を通して第一ポンプと連接することを特徴とする塗料吹付け設備。
【請求項８】
請求項１〜３のいずれか１項に記載される塗料吹付け設備において、エンジンはガソリンエンジン、ヂーゼルエンジン、電機ともに使えることを特徴とする塗料吹付け設備。
【請求項９】
請求項１〜３のいずれか１項に記載される塗料吹付け設備において、
ガソリンエンジンは、動力をインプットする主動輪を設置されている；
第一ポンプは、動力をインプットする第一従輪を設置されている；
第二ポンプは、動力をインプットする第二従輪を設置されている；
第一伝動ベルトは、上記述べている主動輪と第一従輪を連接する；
第二伝動ベルトは、上記述べている主動輪と第二従輪を連接することを特徴とする塗料吹付け設備。
【請求項１０】
請求項１に記載される塗料吹付け設備において、第一スプレーガンと第二スプレーガンを一緒に固定しており、しかも第一スプレーガンと第二スプレーガンの間に予定した角度を形成することを特徴とする塗料吹付け設備。